(57)【特許請求の範囲】
【請求項１】
キャップが螺合された栓を有する合成樹脂製の内袋と、該内袋が保持される蓋と、内袋を収納する剛性を有する外側容器とからなる複合容器であって、上記蓋の天板に、栓に形成された鍔部の下方に位置する首部が挿入可能な孔と、該孔に繋がるとともに、フラップにより開閉可能な、キャップが螺合された栓及び鍔部が挿入可能な孔とが形成されていることを特徴とする複合容器。
【発明の詳細な説明】
【０００１】
【発明の属する技術分野】
本発明は、液体等の内容物が出し入れ可能なキャップが螺合された栓を有する合成樹脂製の内袋と、該内袋が保持される蓋と、内袋を収納する剛性を有する外側容器とからなる複合容器に関するものである。
【０００２】
【従来の技術】
内袋の部分正面図である図５及び外側容器に被蓋される従来の蓋と内袋の斜視図である図６を用いて、従来の技術について説明する。
【０００３】
Ｈは、平面形状が方形状の外側容器に被蓋される蓋であり、天板ｈ１、天板ｈ１の周囲に形成された側壁ｈ２及び側壁ｈ２の上端から外側に水平に延びるフランジｈ３とを有しており、側壁ｈ２を外側容器に嵌合することにより、外側容器を被蓋するように構成されている。天板ｈ１には、周囲に複数の舌片ｈ４が形成された孔ｈ５が形成されている。一方、外側容器内に収容される内袋Ｂには、溶着等の適当な手段により、キャップｂ１が螺合された筒状の栓ｂ２が取着されており、また、栓ｂ２には、蓋Ｈに形成された孔ｈ５の内径より大きな外径を有する鍔部ｂ３が形成されている。鍔部ｂ３の下方に位置する首部ｂ４の外径は、蓋Ｈに形成された孔ｈ５の内径とほぼ同じに形成されている。
【０００４】
蓋Ｈに内袋Ｂを取り付けるには、蓋Ｈの裏側から、内袋Ｂのキャップｂ１が螺合された栓ｂ２を、舌片ｈ４を押し拡げるようにして、蓋Ｈに形成された孔ｈ５に挿入し、栓ｂ２に形成された鍔部ｂ３が、舌片ｈ４を越え、且つ、舌片ｈ４が、鍔部ｂ３の下方に位置する栓ｂ２の首部ｂ４に位置するまで、キャップｂ１が螺合された栓ｂ２を、蓋Ｈに形成された孔ｈ５に挿入する。このように、天板ｈ１の孔ｈ５の周囲に形成された舌片ｈ４を、栓ｂ２の鍔部ｂ３の下方に位置させて、舌片ｈ４により、栓ｂ２の鍔部ｂ３を保持して、蓋Ｈに内袋Ｂを取り付けるように構成されている。
【０００５】
【発明が解決しようとする課題】
上述した従来の複合容器においては、栓ｂ２を、舌片ｈ４を押し拡げるようにして、蓋Ｈに形成された孔ｈ５に挿入し、栓ｂ２に形成された鍔部ｂ３が、舌片ｈ４を越え、且つ、舌片ｈ４が、鍔部ｂ３の下方に位置する栓ｂ２の首部ｂ４に位置するようにして、蓋Ｈに内袋Ｂを取り付けるようにしたものであるため、鍔部ｂ３の下面ｂ３’から栓ｂ２の付け根ｂ２’までの首部ｂ４の長さを長くしなければならず、従って、栓ｂ２の高さが高くなるという問題がある。
【０００６】
また、孔ｈ５の周囲に形成された舌片ｈ４により、栓ｂ２を保持しているだけであるので、孔ｈ５から、簡単に、栓ｂ２が抜け、蓋Ｈから内袋Ｂが外れるという問題がある。
【０００７】
更に、上述した従来の複合容器は、舌片ｈ４を押し拡げるようにして、栓ｂ２を、蓋Ｈに形成された孔ｈ５に挿入するものであるため、蓋Ｈを繰り返して使用しているうちに、舌片ｈ４が損傷するという問題がある。
【０００８】
本発明の目的は、上述したような従来の複合容器が有する課題を解決するとともに、蓋への内袋の取り付け作業の作業性の向上した複合容器を提供することにある。
【０００９】
【課題を解決するための手段】
本発明は、上述した目的を達成するために、キャップが螺合された栓を有する合成樹脂製の内袋と、該内袋が保持される蓋と、内袋を収納する剛性を有する外側容器とからなる複合容器であって、上記蓋の天板に、栓に形成された鍔部の下方に位置する首部が挿入可能な孔と、該孔に繋がるとともに、フラップにより開閉可能な、キャップが螺合された栓及び鍔部が挿入可能な孔とが形成されているものである。
【００１０】
【実施例】
以下に、本発明の実施例について説明するが、本発明の趣旨を越えない限り何ら、本実施例に限定されるものではない。なお、本発明の複合容器においても、内袋として、図５に示されているものを使用した。また、蓋に関し、上述した従来の蓋と共通の構成部分については、同一符号を使用した。
【００１１】
上述した従来の蓋と同様に、蓋Ｈは、平面形状が方形状に形成されており、天板ｈ１、天板ｈ１の周囲に形成された側壁ｈ２及び側壁ｈ２の上端から外側に水平に延びるフランジｈ３とを有しており、側壁ｈ２を、外側容器に嵌合することにより、外側容器を被蓋するように構成されている。天板ｈ１には、内袋Ｂの鍔部ｂ３の下方に位置する栓ｂ２の首部ｂ４が挿入可能な、首部ｂ４の外径とほぼ同じ径を有する孔ｈ６が形成されている。
【００１２】
また、天板ｈ１には、孔ｈ６に一端が連通しているとともに、凹部側が対向するような、一対の円弧状スリットｈ７が形成されており、円弧状スリットｈ７のもう一方の端部ｈ７’を結んだ直線に沿って、天板ｈ１の裏面には、薄肉部ｈ８を残して溝ｈ９が形成されている（図３（ｃ）を参照のこと）。従って、一対の円弧状スリットｈ７間に形成されたほぼ円形状のフラップｈ１０は、一種のヒンジとして機能する薄肉部ｈ８を中心に、回動可能に構成されている。なお、フラップｈ１０は上記のようにして形成されているので、フラップｈ１０の先端には、孔ｈ６の一部を構成する円弧状凹部ｈ１０’が形成されている。
【００１３】
フラップｈ１０を上方に回動させることにより、栓ｂ２の首部ｂ４が挿入可能な孔ｈ６と繋がったほぼ円形状の孔ｈ１１が形成されることになり、該ｈ孔１１は、キャップｂ１が螺合された栓ｂ２及び栓ｂ２に形成された鍔部ｂ３が、蓋Ｈの裏側から挿入可能な大きさに形成されている。このように、フラップｈ１０は、キャップｂ１が螺合された栓ｂ２及び鍔部ｂ３が挿入可能な孔ｈ１１を開閉することができる、一種の蓋としての機能を有するものである。
【００１４】
蓋Ｈに内袋Ｂを取り付けるには、先ず最初に、フラップｈ１０を上方に回動させることにより、栓ｂ２の首部ｂ４が挿入可能な孔ｈ６と繋がったほぼ円形状の孔ｈ１１を形成する。次いで、図３（ａ）に示されているように、蓋Ｈの裏側から、内袋Ｂのキャップｂ１が螺合された栓ｂ２及び鍔部ｂ３を、鍔部ｂ３と栓ｂ２の付け根ｂ２’との間に、天板ｈ１が位置するまで、孔ｈ１１に挿入する。次いで、栓ｂ２を、首部ｂ４が挿入可能な孔ｈ６の方向に水平移動させて、栓ｂ２の首部ｂ４を、孔ｈ６に挿着する。この際、キャップｂ１が螺合された栓ｂ２及び鍔部ｂ３が挿入される孔ｈ１１と、栓ｂ２の首部ｂ４が挿入される孔ｈ６との境界部分に形成された、首部ｂ４の外径より狭い狭隘部ｈ１２を、首部ｂ４が通過することになるが、蓋Ｈの天板ｈ１が、変形可能な合成樹脂製の板材で成形されているので、首部ｂ４が通過する際に、狭隘部ｈ１２が拡がり、狭隘部ｈ１２を首部ｂ４が通過することができるように構成されている。
【００１５】
次いで、フラップｈ１０を、薄肉部ｈ８を中心に、孔ｈ１１を塞ぐ方向に、下方に回動させるとともに、図３（ｂ）に示されているように、フラップｈ１０を湾曲させながら、フラップｈ１０の先端を、図３（ｃ）に示されているように、鍔部ｂ３と栓ｂ２の付け根ｂ２’との間に挿入し、首部ｂ４の外周に、フラップｈ１０の先端に形成されている円弧状凹部ｈ１０’を配置し、孔ｈ６内に首部ｂ４を収容する。なお、蓋Ｈから内袋Ｂを取り外す工程は、この逆の作業を行えばよいので、その説明は省略する。
【００１６】
上述したように、内袋Ｂのキャップｂ１が螺合された栓ｂ２及び鍔部ｂ３を、孔ｈ１１に挿入し、その後、栓ｂ２を、首部ｂ４が挿入可能な孔ｈ６の方向に水平移動させるとともに、フラップｈ１０の先端を、鍔部ｂ３と栓ｂ２の付け根ｂ２’との間に側方から挿入して、首部ｂ４の外周に、フラップｈ１０の先端を配置するように構成したので、栓ｂ２の高さを低く抑えることができるとともに、フラップｈ１０が、栓ｂ２の孔ｈ１１方向への移動を防止することができる。また、蓋Ｈへの内袋Ｂの取り付けを迅速、且つ、確実に行うことができ、更に、蓋Ｈの耐久性が向上する。
【００１７】
【発明の効果】
本発明は、以上説明した構成を有しているので、以下に記載する効果を奏するものである。
【００１８】
内袋のキャップが螺合された栓及び鍔部を、孔に挿入し、その後、栓を、首部が挿入可能な孔の方向に水平移動させるとともに、フラップの先端を、鍔部と栓の付け根との間に側方から挿入して、首部の外周に、フラップの先端を配置するように構成したので、栓の高さを低く抑えることができるとともに、蓋への内袋の取り付けを迅速、且つ、確実に行うことができ、更に、蓋の耐久性が向上する。また、内袋の栓が、フラップにより保持されているので、蓋から内袋が、簡単に、外れるようなことが防止できる。
【図面の簡単な説明】
【図１】図１は本発明の複合容器の蓋の斜視図である。
【図２】図２は本発明の複合容器の蓋の部分斜視図である。
【図３】図３は本発明の複合容器の蓋の部分垂直断面図である。
【図４】図４は本発明の複合容器の内袋が取り付けられた状態の蓋の斜視図である。
【図５】図５は本発明の複合容器に使用される内袋の部分正面図である。
【図６】図６は従来の複合容器の蓋と内袋の斜視図である。
【符号の説明】
Ｂ・・・・・・・・・・内袋
Ｈ・・・・・・・・・・蓋
ｂ２・・・・・・・・・栓
ｂ３・・・・・・・・・鍔部
ｈ１・・・・・・・・・天板
ｈ６、ｈ１１・・・・・孔
ｈ１０・・・・・・・・フラップ
【図１】
0003914622.tif 000002
【図２】
0003914622.tif 000003
【図３】
0003914622.tif 000004
【図４】
0003914622.tif 000005
【図５】
0003914622.tif 000006
【図６】
0003914622.tif 000007